(57)【要約】【課題】製作コストを極力低廉になしえ、しかも、強固で簡単に取り付けられる軸筒を有したロールペーパー用の収納具を提供する。【解決手段】ダンボール紙ｄ又は厚紙ｋなどの板紙により成形され、平行に配置される一対の支持板部１１，１１を備え、前記両支持板部１１，１１間にロールペーパーＲの巻芯Ｓに挿通する軸筒２を配置してなり、前記軸筒２は正多角筒状に成形されると共に長手方向に沿った両端部の内少なくとも一方とこれと対向する前記支持板部１１とに係脱自在に係合し得る係合手段３，１５，１６，２４，２６を設けた構成からなる。【選択図】図１
2008094406.tif 000002
【特許請求の範囲】
【請求項１】
ダンボール紙又は厚紙などの板紙により成形され、平行に配置される一対の支持板部を備え、前記両支持板部間にロールペーパーの巻芯に挿通する軸筒を配置してなり、前記軸筒は正多角筒状に成形されると共に長手方向に沿った両端部の内少なくとも一方とこれと対向する前記支持板部とに係脱自在に係合し得る係合手段を設けたことを特徴とするロールペーパー用収納具。
【請求項２】
前記係合手段は、前記軸筒の端部から延設され透孔を設けた舌片と、前記支持板部に設けられ前記舌片が挿通されるスリット及び該スリットに挿通した舌片を折り曲げた際に前記透孔に合致する透孔と、前記両透孔に嵌合する止め具と、からなる請求項１記載のロールペーパー用収納具。
【発明の詳細な説明】
【技術分野】
【０００１】
本発明は、筒状の巻芯にロール状に巻回したロールペーパーを引き出してティッシュペーパーのような感覚で使用できるようにしたロールペーパー用収納具に関するものである。
【背景技術】
【０００２】
従来、この種のロールペーパー用収納具として、例えば次のようなものが開示されている。すなわち、このロールペーパー用収納具は中空箱状に成形され、その上面が蓋になっていると共に該上面にロールペーパーを引き出すためのスリットが開設され、前記箱内にロールペーパーを収納して上面のスリットからそのロールペーパーを引き出して使用できるようにしている（例えば、特許文献１参照。）。
【０００３】
また、他のロールペーパー用収納具は中空箱状に成形され、その一側面に蓋が設けられると共に該蓋に軸受け穴を介してロールペーパー用収納具内に横断状に突出する軸筒を挿入し、これと対向する側面に軸受け穴を介して軸筒と螺合し該軸筒の自由端をしっかりと保持して固定するストッパーを挿入し、ロールペーパー用収納具の上面にはロールペーパーを引き出すためのスリットが開設される。そして、スリットからロールペーパーを引き出して使用できるようにしている（例えば、特許文献２参照。）。
【０００４】
【特許文献１】実用新案登録第３１１８５１８号公報（第２−３頁、図３）
【特許文献２】特開２００２−１７６０９号公報（第２−３頁、図１、図２）
【発明の開示】
【発明が解決しようとする課題】
【０００５】
前記特許文献１に係るロールペーパー用収納具は、軸筒が無くロールペーパーをそのまま収納して使用するので、ロールペーパーが内部の底面に擦れて摩擦が大きい。このため、新しい状態ではロールーペーパーが重くて回転しにくく、スリットからロールペーパーを引き出す際にそのロールペーパーが途中で切れてしまい使いものにならない場合が有る。このため、ロールペーパーを切れないようにゆっくり慎重に引き出すようにしなければならず、極めて使い勝手が悪いといった課題がある。
【０００６】
一方、前記特許文献２に係るロールペーパー用収納具は、ロールペーパー用収納具内に突出する軸筒をロールペーパーの巻芯に挿通してロールペーパーが自在に回転し得るようにしているので、スリットからのロールペーパーは引き出し易い。しかしながら、この種のロールペーパー用収納具は、例えば合成樹脂、金属、セラミック、木といった素材により強固な構造に製作されることから、それら製作コストが高くつくといった課題がある。
【０００７】
製作コストを極力下げるために、ダンボール紙や圧紙などの板紙によってロールペーパー用収納具を製作すれば良いが、前記軸筒を板紙により円筒状に成形して取着しようとすると、ロールペーパーの交換のため該軸筒を係脱自在に取着する必要がある関係上、その取付構造に苦慮する。また、前記軸筒を板紙により円筒状に成形するにはまだ成形に掛るコストが高い。同様に、軸筒を合成樹脂材により成形すれば、特許文献２のように成形が簡単でありロールペーパーの交換も容易にできることになるが、その成形に金型や加工を必要とするのでロールペーパー用収納具の製作コストが嵩むという課題がある。
【０００８】
そこで、本発明は上記課題を解決すべくなされたもので、製作コストを極力低廉になしえ、しかも、強固で簡単に取り付けられる軸筒を有したロールペーパー用の収納具を提供することを目的とするものである。
【課題を解決するための手段】
【０００９】
かかる目的を達成するため本発明に係るロールペーパー用収納具は、ダンボール紙又は厚紙などの板紙により成形され、平行に配置される一対の支持板部を備え、前記両支持板部間にロールペーパーの巻芯に挿通する軸筒を配置してなり、前記軸筒は正多角筒状に成形されると共に長手方向に沿った両端部の内少なくとも一方とこれと対向する前記支持板部とに係脱自在に係合し得る係合手段を設けたことを特徴とする。
【００１０】
具体的には、前記係合手段は、前記軸筒の端部から延設され透孔を設けた舌片と、前記支持板部に設けられ前記舌片が挿通されるスリット及び該スリットに挿通した舌片を折り曲げた際に前記透孔に合致する透孔と、前記両透孔に嵌合する止め具と、からなる。
【発明の効果】
【００１１】
請求項１乃至２に係るロールペーパー用収納具は、両支持板部間に配置される軸筒を正多角筒状に成形すると共に長手方向に沿った両端部の内少なくとも一方とこれと対向する支持板部とに係脱自在に係合し得る係合手段を設けるようにしたので、軸筒も板紙により成形でき、強固な構成とすることができる。しかも、軸筒が正多角形状に成形され、折れ線を設けて折り曲げるのみで成形できることから、円筒状のものに比べ簡単に製作できかつ取り付けられ成形コストも安い。これにより、ロールペーパー用収納具が板紙により強固な構成に成形され、その製作コストも極めて低廉になし得るという効果がある。
【発明を実施するための最良の形態】
【００１２】
以下、本発明に係るロールペーパー用収納具の実施の形態を図面に基づき詳しく説明する。図１乃至図６は第一実施の形態に係るロールペーパー用収納具を示し、図７乃至図１２は第二実施の形態に係るロールペーパー用収納具を示す。本発明にあって、ロールペーパー収納具とは、机などの台の上に設置して使用する設置タイプと吊下げバンドにより柱などに吊下げて使用する吊下げタイプの両タイプを含む。また、形態としてロールペーパーが覆われる箱型や露出する皿型のいずれも含むものである。また、ロールペーパー用収納具の材質は、ダンボール紙や厚紙といった丈夫な板紙であれば良い。
【００１３】
そこで、まず第一実施の形態に係るロールペーパー用収納具について説明する。図１は第一実施の形態に係るロールペーパー用収納具の斜視図、図２は同ロールペーパー用収納具の分解斜視図、図３は同軸筒の展開平面図、図４は図１のＷ−Ｗ線断面図、図５は図１のＸ−Ｘ線断面図である。
【００１４】
ロールペーパー用収納具Ａ１は、板紙としての両面ダンボール紙ｄにより成形され、収納具本体１と該収納具本体１とは別個に成形される軸筒２とからなる。収納具本体１は、略方形状の底板部１０と該底板部１０の対向する両側縁に一体に設けられ互いに起立して平行に配置される支持板部１１，１１とからなる。両支持板部１１，１１は台形状をなす。底板部１０も両支持板部１１，１１も共に所定の形状に打ち抜かれ、所定の個所に折り曲げ線を設けて折り曲げることによりダンボール紙ｄを２重に貼り合せてなり、所要の強度が得られるようになっている。
【００１５】
底板部１０における両支持板部１１，１１間の両側縁に沿って、両支持板部１１，１１間に亘り上側のダンボール紙ｄを上方へ折り曲げ断面三角形状となる突条部１２，１２が設けられている。これら突条部１２，１２の外側面１２ａの底板部１０に対する傾斜角度は、起立した支持板部１１，１１における両側縁１１ａの底板部１０に対する傾斜角度と同じに設定され、それら突条部１２，１２の外側面１２ａ，１２ａが両支持板部１１，１１の両側縁１１ａ，１１ａとほぼ合致してデザイン性を高めるようにしている。また、両突条部１２，１２を含め底板部１０の上側のダンボール紙ｄにおける両支持板部１１，１１と対向する側縁１０ａ，１０ａに、両突条部１２，１２の外側面１２ａを除き支持板部１１の厚み寸法程度の深さの切欠凹部１３，１３が凹設されている。
【００１６】
両支持板部１１，１１の内面には、その中央部に内側のダンボール紙ｄのみを正三角形状に切り抜いて軸筒２の両端を嵌り込ませるための窪み部１４，１４が設けられる。そして、各窪み部１４内の下側縁に沿って外側のダンボール紙ｄに、係合手段としてのスリット１５が開設される。また、各窪み部１４内のほぼ中央部であって外側のダンボール紙ｄに、円形状の係合手段としての透孔１６が開設されている。
【００１７】
軸筒２は長方形状のダンボール紙ｄからなり、長手方向に沿って平行な三本の折れ線２０により同じ方向へ折り曲げることにより正三角筒状になる。短手方向の両端に位置する折り曲げ片２１ａ，２１ｂには、その外側縁の対応位置に差込片２２と該差込片２２が差し込まれる差込凹部２３が設けられている。また、折れ線２０で挟まれる折り曲げ片２１ｃの長手方向の両端縁に、窪み部１４のスリット１５に挿入される半円形状の係合手段としての舌片２４，２４が折り線２５，２５を介して連設され、両舌片２４，２４にスリット１５に挿通して折り曲げた際に支持板部１１，１１側の透孔１６，１６に合致する係合手段としての透孔２６，２６が開設されている。
【００１８】
第一実施の形態に係るロールペーパー用収納具Ａ１は上記構成からなり、次にその組立方法を説明する。まず、折り曲げ片２１ａ，２１ｂ，２１ｃをそれぞれ折れ線２０によって同じ方向へ折り曲げ、差込凹部２３が設けられた折り曲げ片２１ｂを内側にしてその外側へ差込片２２が設けられた折り曲げ片２１ａを重ね、差込凹部２３へ差込片２２を差し込む。これにより、正三角筒状の軸筒２が成形される。そして、該軸筒２をロールペーパーＲの巻芯Ｓに挿通する。
【００１９】
そこで、収納具本体１の一方の支持板部１１を起立させると共に底板部１０の切欠凹部１３内に嵌めた状態で、軸筒２の長手方向の一端の舌片２４を窪み部１４のスリット１５に挿通する。更に、該舌片２４を透孔１６側へ折り曲げる。このとき、両透孔１６，２６とが合致する。そして、両透孔１６，２６内に係合手段としての止め具３を挿入して係止する。これにより、図４、図５に示すように支持板部１１側の窪み部１４に軸筒２の一端が嵌り込んだ状態で、支持板部１１の外側のダンボール紙ｄと舌片２４とが一体に挟着されて強固に保持される。この作業は、収納具本体１の他方に支持板部１１についても同様に行なわれる。
【００２０】
止め具３は合成樹脂材から成形され、図２、図４に示すように透孔１６、２６の内径よりも外径の大きい円板状の頭部３０を有する。該頭部３０の一側面に、該一側面と直交しかつその中心軸線に沿って分離する半割状の軸部３１ａ，３１ｂが突設される。そして、一方の軸部３１ａに該軸部３１ａに対して直交する係止突部３２が設けられ、他方の軸部３１ｂに該軸部３１ｂに対して直交する縦長の係止突部３３が設けられる。
【００２１】
係止突部３２と縦長の係止突部３３とは互いに逆方向に向き、頭部３０と両係止突部３２，３３との間に支持板部１１の外側のダンボール紙ｄ及び舌片２４とが挟まれることになる。しかも、一方の縦長の係止突部３３が長く支持板部１１のダンボール紙ｄの内面にそって深く嵌り込むので、止め具３が透孔１６，２６から抜け難い構造になっている。
【００２２】
このようにして、ロールペーパーＲを装填したロールペーパー用収納具Ａ１が完成する。このロールペーパー用収納具Ａ１は、例えば机（図示せず。）の上面に置いて使用される。該ロールペーパーＲは軸筒２が挿通され底板部１０の上面から浮いているので、ロールペーパーＲを引いても簡単に回転して取り出し易い。また、使用上、ロールペーパーＲの引き出し動作と共に巻芯Ｓが回転する際、軸筒２の外周面であって三角形の頂部の２箇所に接触することから、これにより軸筒２の回転がフラフラせずに安定し、ロールペーパーＲが無用に引き出されることが抑えられ使い易い。
【００２３】
ロールペーパーＲが無くなれば、一方の透孔１６，２６から止め具３を外し、スリット１５から舌片２４を抜いて巻芯Ｓを外す。そして、新しいロールペーパーＲの巻芯Ｓに軸筒２を挿通し、前記と同様な作業を行なって組み付けが行なわれる。軸筒２を正三角筒状に成形したのは、例えば、これを円筒状に成形するのに特殊な装置が必要になり、その成形コストが高くなるからである。
【００２４】
第一実施の形態に係るロールペーパー用収納具Ａ１にあっては、収納具本体１や軸筒２などすべてダンボール紙を打ち抜き、折り曲げるのみで成形されることから、成形が楽であると共に製作コストが極めて低廉になし得る。また、両支持板部１１，１１間に配置される軸筒２を正三角筒状に成形すると共に長手方向に沿った両端部の内少なくとも一方とこれと対向する支持板部１１とに係脱自在に係合し得るスリット１５と該スリット１５に挿通されて固定される舌片２４とを設けたので、強固な構成とすることができる。
【００２５】
第一実施の形態に係るロールペーパー用収納具Ａ１は、机などの台の上に設置して使用されるタイプのものとして説明したが、図６に示すように、合成樹脂製の細長い吊下げバンド部３４の両端にそれぞれ止め具３を一体に設けるようにしても良い。そして、両止め具３，３を透孔１６，２６に挿通して係止するようにすれば、柱（図示せず。）などに吊下げて使用するタイプとして使用できる。このようにすれば、吊下げバンド部３４の両端部で軸筒２が固定できることから、両方の機能を兼用できる。
【００２６】
軸筒２は、三角筒状に成形したが、これに限られることはなく、例えば正四角筒状、正五角筒状、正六角筒状など他の正多角形状であっても良い。また、両支持板部１１，１１に対して軸筒２の両端部を係脱自在に係合するようにしたが、その構成を一方のみとし、他方を支持板部１１の内面に接着して固定するようにしても良い。
【００２７】
次に、第二実施の形態に係るロールペーパー用収納具について説明する。図７は第二実施の形態に係るロールペーパー用収納具の斜視図、図８は同ロールペーパー用収納具の分解斜視図、図９（イ）（ロ）は同組立て手順を示す斜視図、図１０は図７のＹ−Ｙ線断面図、図１１は図７のＺ−Ｚ線断面図である。なお、第一実施の形態に係るロールペーパー用収納具と同一構成の部位には同一番号を附す。
【００２８】
ロールペーパー用収納具Ａ２は、板紙としての厚紙ｋにより成形され、収納具本体４と該収納具本体４とは別個に成形される軸筒５と同じく収納具本体４の開放する上面を覆う蓋板６とから構成される。収納具本体４は、略方形状の底板部４０を有し、該底板部４０の対向する両側縁に互いに起立して平行に配置される支持板部４１，４１が一体に設けられる。両支持板部４１，４１の上縁は円弧状に成形され、デザイン性を高めるようにしている。また、両支持板部４１，４１には、その中央部に係合手段としてのスリット１５とその上方に位置して同じく係合手段としての透孔１６が開設されている。
【００２９】
底壁部４０における両支持板部４１，４１間の対向する両側縁に、所定高さの方形状の第一側板部４２，４２が連設される。各第一側板部４２の両側縁に、第二側板部４３，４３が連設される。両第二側板部４３，４３は、起立した状態で上縁が先端に向うに従い漸次低くなるようになっており、先端側に上縁から下方へ又は下縁から上方へ伸びる切り溝４４が設けられている。これら第二側板部４３，４３は、ロールペーパー用収納具Ａ２を組立てる際に、支持板部４１の内側に配置されるようになっており、しかも、その上縁とスリット１５とがほぼ同じ高さになるように設定される。
【００３０】
両第一側板部４２，４２の上端縁には、該第１側板部４２の内面側へ折れ曲り接着される補強片４５が連設される。また、両第一側板部４２，４２の下縁の中央部にその下縁に沿って挿通孔４６が設けられている。これは、後記する蓋板６の挿入片４７を挿入させるためである。
【００３１】
軸筒５は長方形状の厚紙ｋからなり、第一実施の形態と同様に長手方向に沿って平行な三本の折れ線２０により同じ方向へ折り曲げることにより正三角筒状になる。短手方向の両端に位置する折り曲げ片２１ａ，２１ｂには、その外側縁の対応位置に差込片２２と該差込片２２が差し込まれる差込凹部２３が設けられている。また、折れ線２０で挟まれる折り曲げ片２１ｃの長手方向の両端縁に、支持板部４１のスリット１５に挿入される半円形状の係合手段としての舌片２４，２４が折り線２５，２５を介して連設される。また、両舌片２４，２４に、スリット１５に挿通して舌片２４を折り曲げた際に支持板部４１，４１側の透孔１６，１６に合致する係合手段としての透孔２６，２６が開設されている。
【００３２】
蓋板６も厚紙からなり、収納具本体４の上面を覆うことができる横長長方形状に成形され、長手方向の両端縁の中央部に挿入片４７が突設される。また、蓋板６の中央部には、ロールペーパーＲを引き出すため楕円形状に切り抜かれた取出口４８が開設されている。
【００３３】
第二実施の形態に係るロールペーパー用収納具Ａ２は上記構成からなり、次にその組立方法を説明する。まず、図８に示すように収納具本体４において、両第一側板部４２，４２を起立させると共にそれぞれ両第二側板部４３，４３を互いに内側へ折り曲げ、対応位置する切り溝４４，４４を嵌め込む。これにより、両第二側板部４３，４３が連設され、両第一側板部４２，４２と合わせて上面が開放する箱状に組立てられる。更に、支持板部４１を起立させる。
【００３４】
軸筒５については、第一実施の形態と同様に折り曲げ片２１ａ，２１ｂ，２１ｃをそれぞれ折れ線２０によって同じ方向へ折り曲げる。そして、差込凹部２３が設けられた折り曲げ片２１ｂを内側にしてその外側へ差込片２２が設けられた折り曲げ片２１ａを重ね、差込凹部２３へ差込片２２を差し込む。これにより、正三角筒状の軸筒２が成形される。そして、図９（イ）に示すように、軸筒５の一端の舌片２４を一方のスリット１５に挿通する。更に、該舌片２４を透孔１６側へ折り曲げる。このとき、両透孔１６，２６とが合致する。そして、両透孔１６，２６内に係合手段としての止め具３を挿入して係止する。この状態で、軸筒５をロールペーパーＲの巻芯Ｓに挿通する。
【００３５】
同様に、図９（ロ）に示すように軸筒５の他端の舌片２４を他方のスリット１５に挿通して、各舌片２４を各透孔１６側へ折り曲げる。また、両透孔１６，２６内に、止め具３０を挿入して係止する。最後に、各第一側板部４２の下端縁に設けられた挿通孔４６に、挿入片４７を挿入して上面を覆う。ロールペーパーＲの一端は、取出口４８から少し外側へ出しておく。これにより、図１０、図１１に示すように軸筒５の下面の両端部が両第二側板部４３，４３の上端縁に乗った状態で、支持板部４１と舌片２４とが一体に挟着されて強固に保持される。
【００３６】
止め具３は第一実施の形態と同様に合成樹脂材から成形され、図９（ロ）、図１０に示すように透孔１６、２６の内径よりも外径の大きい円板状の頭部３０を有する。該頭部３０の一側面に、該一側面と直交しかつその中心軸線に沿って分離する半割状の軸部３１ａ，３１ｂが突設される。そして、一方の軸部３１ａに該軸部３１ａに対して直交する係止突部３２が設けられ、他方の軸部３１ｂに該軸部３１ｂに対して直交する縦長の係止突部３３が設けられる。
【００３７】
係止突部３２と縦長の係止突部３３とは互いに逆方向に向き、頭部３０と両係止突部３２，３２との間に支持板部４１である厚紙ｋ及び舌片２４である厚紙ｋとが挟まれることになる。しかも、一方の係止突部３３が長く支持板部４１の内面に沿って深く嵌り込むので、止め具３が透孔１６，２６から抜け難い構造になっている。
【００３８】
このようにして、ロールペーパーＲを装填したロールペーパー用収納具Ａ２が完成する。このロールペーパー用収納具Ａ２は、例えば机（図示せず。）の上面に置いて使用される。該ロールペーパーＲは軸筒５が挿通され底板部４０の上面から浮いているので、ロールペーパーＲを引き出す際、簡単に回転して取り出し易い。また、使用上、ロールペーパーＲの引き出し動作と共に巻芯Ｓが回転する際、軸筒５の外周面であって三角形の頂部の２箇所に接触することから、これにより軸筒５の回転がフラフラせずに安定し、ロールペーパーＲが無用に引き出されることが抑えられ使い易い。
【００３９】
ロールペーパーＲが無くなれば、一方の透孔１６，２６から止め具３を外し、スリット１５から舌片２４を抜いて巻芯Ｓを外す。そして、新しいロールペーパーＲの巻芯Ｓに軸筒５を挿通し、前記と同様な作業を行なって組み付けが行なわれる。軸筒５を正三角筒状に成形したのは、例えばこれを円筒状に成形するのに特殊な装置が必要になり、その成形コストが高くなるからである。
【００４０】
第二実施の形態に係るロールペーパー用収納具Ａ２にあっても、収納具本体４や軸筒５などすべてダンボール紙を打ち抜き、折り曲げるのみで成形されることから、成形が楽であると共に製作コストが極めて低廉になし得る。また、両支持板部４１，４１間に配置される軸筒５を正三角筒状に成形すると共に長手方向に沿った両端部の内少なくとも一方とこれと対向する支持板部４１とに係脱自在に係合し得るスリット１５と該スリット１５に挿通されて固定される舌片２４とを設けたので、強固な構成とすることができる。
【００４１】
第二実施の形態に係るロールペーパー用収納具Ａ２は、机などの台の上に設置して使用されるタイプのものとして説明したが、図１２に示すように、合成樹脂製の細長い吊下げバンド部３４の両端にそれぞれ止め具３を一体に設けるようにしても良い。そして、両止め具３，３を透孔１６，２６に挿通して係止するようにすれば、柱（図示せず。）などに吊下げて使用するタイプとして使用できる。このようにすれば、吊下げバンド部３４の両端部で軸筒５が固定できることから、両方の機能を兼用できる。
【００４２】
軸筒５は、三角筒状に成形したが、これに限られることはなく、例えば正四角筒状、正五角筒状、正六角筒状など他の正多角形状であっても良い。また、両支持板部４１，４１に対して軸筒５の両端部を係脱自在に係合するようにしたが、その構成を一方のみとし、他方を支持板部４１の内面に接着剤により接着して固定するようにしても良い。
【図面の簡単な説明】
【００４３】
【図１】第一実施の形態に係るロールペーパー用収納具の斜視図。
【図２】同ロールペーパー用収納具の分解斜視図。
【図３】同軸筒の展開平面図。
【図４】図１のＷ−Ｗ線断面図。
【図５】図１のＸ−Ｘ線断面図。
【図６】吊り下げバンド部を使用したロールペーパー用収納具の斜視図。
【図７】第二実施の形態に係るロールペーパー用収納具の斜視図。
【図８】同ロールペーパー用収納具の分解斜視図。
【図９】（イ）（ロ）は同組立て手順を示す斜視図。
【図１０】図７のＹ−Ｙ線断面図。
【図１１】図７のＺ−Ｚ線断面図。
【図１２】吊り下げバンド部を使用したロールペーパー用収納具の斜視図。
【符号の説明】
【００４４】
２                軸筒
３                係合手段（止め具）
５                軸筒
１１              支持板部
１５              係合手段（スリット）
１６              係合手段（透孔）
２４              係合手段（舌片）
２６              係合手段（透孔）
４１              支持板部
Ａ１              ロールペーパー用収納具
Ａ２              ロールペーパー用収納具
ｄ                ダンボール紙
ｋ                厚紙
Ｒ                ロールペーパー
Ｓ                巻芯
【図１】
2008094406.tif 000003
【図２】
2008094406.tif 000004
【図３】
2008094406.tif 000005
【図４】
2008094406.tif 000006
【図５】
2008094406.tif 000007
【図６】
2008094406.tif 000008
【図７】
2008094406.tif 000009
【図８】
2008094406.tif 000010
【図９】
2008094406.tif 000011
【図１０】
2008094406.tif 000012
【図１１】
2008094406.tif 000013
【図１２】
2008094406.tif 000014